(57)【要約】  本発明は、ジップファスナーのための下側部材(４)と上側部材(３)とプラー(２)とを備えるスライダに関する。下・上側部材は、ヒンジで相互連結されることでスライダを開放・閉鎖状態にできる。プラー(２)は、使用者が使用時に持つ部分を構成し、下側部材と上側部材とを閉鎖状態で固定する固定ピン(６)と、分離ショルダー(９)とを備える。上側部材はロックピンを収容可能なホール(７)を備え、下側部材はロックピンをロックする受け部(１３)と傾斜分離体(１０)とを備え、それは分離ショルダーとロックピンを分離できる。下側部材は二つのヒンジタップ(１４)を備え、上側部材はヒンジタップと協働する領域を備えるため、上・下側部材の間にヒンジが形成される。本発明は、上記スライダを組み立てる方法に関する。下側部材を上側部材の上に押し付けてそれらを取り付け、ヒンジタップと前記領域との協働でヒンジを形成する。
2010508062.tif 000002
【特許請求の範囲】
【請求項１】
ジップファスナーのためのスライダ(１)であって、前記スライダは、下側部材(４)と、上側部材(３)と、プラー(２)とを具備してなり、
前記下側部材(４)と前記上側部材(３)とは、ヒンジによって相互連結されており、これによって、前記スライダが、開放状態と閉鎖状態とのそれぞれの状態となることができるようになっており、
前記プラー(２)は、
弾性材料からなり、
スライダの使用時に使用者が保持する部分を構成し、かつ、
閉鎖状態において前記下側部材(４)と前記上側部材(３)とをロックするためのロックピン(６)と、さらに分離ショルダー(９)とを具備してなり、
前記下側部材(４)は、
前記スライダ(１)がジップファスナーに取り付けられたとき、ジップファスナーの第１の側に主に配置され、
閉鎖状態において前記下側部材と前記上側部材とをロックするための前記プラー(２)の前記ロックピン(６)を収容可能なホール(７)を具備してなり、
前記上側部材(３)は、
前記スライダ(１)がジップファスナーに取り付けられるときに、ジップファスナーの第２の側に主に配置され、
前記プラー(２)の前記ロックピン(６)のための受け部(１３)と、さらに傾斜分離体(１０)とを具備してなり、それは、前記分離ショルダー(９)を分離し、それとともに前記プラー(２)の前記ロックピン(６)を分離するようになっており、
前記上側部材(３)は、二つのヒンジタップ(１４)を具備してなり、かつ前記下側部材(４)は、前記ヒンジタップと協働するための領域(１５，１６，１７)を具備してなり、前記下側部材と前記上側部材との間の前記ヒンジは、前記ヒンジタップ(１４)と前記領域(１５，１６，１７)との協働によって形成されており、
前記下側部材の前記領域(１５，１６，１７)は、組立面取り部(１６)を具備しており、それは、前記ヒンジタップ(１４)との協働によって、前記上側部材(３)と前記下側部材(４)とを回動可能にロックするよう配置されており、かつ、
前記下側部材の前記領域(１５，１６，１７)は、ガイド溝(１５)をさらに具備してなり、それによって、前記ヒンジタップ(１４)が、前記下側部材(４)への前記上側部材(３)の組立時に案内され、前記組立面取り部(１６)は、わずかな弾性動作で、前記ヒンジタップ(１４)を外側に力を加えるようになっていることを特徴とするスライダ。
【請求項２】
前記下側部材の前記領域(１５，１６，１７)は、ヒンジ面(１７)をさらに具備してなり、前記面取り部(１６)が通過し、かつ弾性動作が元に戻った後、前記ヒンジ設置部(１７)に前記ヒンジタップ(１４)が配置されるようになっていることを特徴とする請求項１に記載のスライダ。
【請求項３】
前記プラー(２)は、ジップファスナーに対して前記スライダをロックするためのロックタップ(８)をさらに具備してなることを特徴とする請求項１または請求項２に記載のスライダ。
【請求項４】
請求項１に記載のスライダ(１)を組み立てるための方法であって、
上から直線的に前記下側部材(４)の上へ前記上側部材(３)を押し付けることによって、前記上側部材(３)を前記下側部材(４)に取り付け、それによって、前記上側部材の前記ヒンジタップ(１４)と、前記ヒンジタップと協働する前記下側部材の領域(１５，１６，１７)とが、前記上側部材(３)と前記下側部材(４)とを相互連結させることを含むことを特徴とする方法。
【発明の詳細な説明】
【技術分野】
【０００１】
本発明は、ジップファスナーのためのスライダ、およびそうしたスライダを組み立てるための方法に関するものである。
【背景技術】
【０００２】
既存のスライダは、簡単なジップファスナーの修復を容易にするために改良されたものである。既存のスライダによって、以前は、欠陥があるために廃棄されていたスライダが再利用可能となった。このスライダは、一般的なジップファスナーに取り付け可能であり、それによって、ジップファスナーにおける欠陥のあるスライダとこのスライダを交換できる。スライダの取り外しは、取り付けと同様に簡単である。
【０００３】
特許文献１には、上記タイプのスライダが開示されている。当該発明によれば、特許文献１のスライダは、上側部材２０と、下側部材１０と、プラー（引っ張り具）４０とを備えている。上側部材および下側部材は、ヒンジで連結されている。このヒンジは、上側部材と下側部材とのそれぞれにおけるホールを通って延在する固定ピンからなっている。この従来のスライダには、その組立に相対的に時間がかかり、複雑であるため、組立にコストがかかるという問題がある。このヒンジの形成時には、固定ピンが孔を通って挿入可能となる前に、個々のホールを位置合わせする必要がある。続いて、固定ピンがホールから脱落しないよう、固定ピンを加熱しなければならない。
【０００４】
特許文献２によれば、スライダの上側部材２０および下側部材１０は、ヒンジによって連結されている。このヒンジは、上側部材から突出する二つのヒンジタップ３６からなっており、このヒンジタップ３６は、下側部材の開口と協働する。特許文献２の好ましい実施形態によれば、形成されることとなるこれらのヒンジタップ３６は、一対のダイパンチ３０を用いて開口１６の中へ挿入されるようになっている(図６)。この付加的な連結ステップは、下側部材上へ上側部材を取り付けた後に実施しなければならない。しかしながら、特許文献２には、上側部材と下側部材とが互いに取り付けられる前に、上側部材におけるヒンジタップ３６を形成することによって、ヒンジが完成されるとも記載されている。続いて、当該連結は、下側部材に上側部材のヒンジタップ３６をスナップ留めすることによってなされる。特許文献２によれば、さらにヒンジは、ヒンジタップ３６を開口に置き換える方式で形成できる。固定ピンの加熱直後に、固定ピンは、この開口を介して挿入されかつ下側部材の開口１６を通る(特許文献１参照)。
【先行技術文献】
【特許文献】
【０００５】
【特許文献１】独国特許出願公開第770173号明細書(GB771473)
【特許文献２】独国特許出願公開第772437号明細書(GB772437)
【発明の概要】
【発明が解決しようとする課題】
【０００６】
本発明の目的は、簡単な動作で欠陥のあるジップファスナーの修復が可能なスライダを提供することである。このスライダの構成要素は、組み立てが容易であることが望ましい。さらに、構成要素は、スライダ構造が強固でありかつ使用寿命が長いことを確実なものとする様式で構成されることが望ましい。
【課題を解決するための手段】
【０００７】
上記目的は、本発明に基づくスライダ、特に独自の組み立てを提供する取り付け、スライダのさまざまなヒンジおよびその外観の構成、ならびに簡単な動作をもたらす解決策を提供することによって達成される。
【０００８】
このスライダは、上側部材と、下側部材と、プラーとを備えている。下側部材と上側部材とは、ヒンジによって相互連結されており、これによって、スライダを開放状態と閉鎖状態とのそれぞれの状態に調整できるようになる。プラーは、弾性材料からなっており、かつスライダの使用時に使用者が持つ部分を構成するようになっており、当該プラーは、閉鎖状態で上側部材と下側部材とをロックするためのロックピンと、さらに分離ショルダーとを備えている。下側部材は、ファスナーがジップファスナーに取り付けられるとき、主にジップファスナーの第１の側に配置されており、かつ閉鎖状態で上側部材と下側部材とをロックするためのプラーのロックピンを収容可能なホールを備えている。上側部材は、ファスナーがジップファスナーに取り付けられるとき、主にジップファスナーの第２の側に配置されており、かつプラーのロックピンのための受け部と、さらに傾斜分離体を備えており、それは、分離ショルダーを分離し、それとともにプラーのロックピンを分離可能である。さらに、上側部材は、二つのヒンジタップを備えており、下側部材は、当該ヒンジタップと協働する領域を備えている。下側部材と上側部材との間のヒンジは、ヒンジタップと当該領域との間の協働によって形成される。下側部材の領域は、組立面取り部を備えており、これは、ヒンジタップと協働することによって、上側部材と下側部材とを回動可能にロックするよう配置されている。下側部材の当該領域は、さらにガイド溝を備えており、このものにおいて、ヒンジタップは上側部材の組立時に案内され、それによって、組立面取り部は、わずかな弾性動作で、ヒンジタップを外側へ向かうよう力を加えるようになる。
【０００９】
さらに、本発明は、上記スライダを組み立てる方法に関するものである。この方法によれば、上から直線的に下側部材の上へ上側部材を押し付けることによって、上側部材を下側部材に取り付け、これによって、上側部材のヒンジタップと、当該ヒンジタップと協働する下側部材の領域とで部材同士を相互連結させる。
【００１０】
本発明に基づいてヒンジを構成することによって、簡単な組立工程が得られる。さらに、強固に構成され、わずかに動く部材からなるスライダが提供される。これによって、使用寿命が長く、かつ生産費用が相対的に低いスライダが提供される。
【図面の簡単な説明】
【００１１】
【図１】プラーと、上側部材と、下側部材とを備えた本発明のスライダを示す図である。
【図２】プラーの弾性運動状態を示した、ロックピンとロックタップと分離ショルダーとを備えたプラーの底面図である。
【図３】スライダの外観図であり、ロックタップの機能を示す図である。
【図４】傾斜分離体と、プラー受け部とを備えた上側部材の斜視図である。
【図５】ジップファスナー経路を示した、ヒンジとロックタップのための間隙とを備えた上側部材の底面図である。
【図６】ジップファスナー経路を示した、ホールと、ロックピンのための支持面と、ジップファスナーのための分離ショルダーと、容易な組立(図８)のためのガイド溝と、アセンブリ受け部と、ヒンジタップのためのヒンジ面とを備えた下側部材の上面図である。
【図７】ヒンジタップのヒンジ面と、ガイド溝とを備えた下側部材の底面図である。
【図８】下側部材の上にプラーと上側部材とを組み合わせた状態を示す図である。
【図９】下側部材の貫通ホールおよび上側部材の受け部に位置されたロックピンを備えた閉鎖状態のスライダを示す図である。
【図１０】開放状態のスライダを示す図である。
【図１１】さまざまな角度から見たスライダを示す図である。
【発明を実施するための形態】
【００１２】
ここで、スライダを開放可能にするために必要な三つの構成部材について説明する。製造中のスライダの組立を容易にするために、さらなる改善がなされている。これは、詳述されかつこの明細書の重要な態様を構成するものである。さらに、本明細書において、その図面にスライダの寸法が示されているが、これらの寸法は、そのほかの点では、さまざまなタイプのジップファスナーに応じてそれぞれ決定されるものである。この解決策によって、ジップファスナーの平均的使用量を４５００サイクルとすることが達成される。
【００１３】
図１には、スライダ１およびその構成要素；プラー２と、上側部材３と、下側部材４とを示す。図２には、下側から見たプラーを示す。プラーは、弾性スチール材料またはプラスチックから製造可能である。図２には、プラーの弾性動作を二つの矢印５で示す。スライダの使用時に使用者が持つ部分に加えて、プラーは、記述されるように付加的な機能を有している。ロックピン６は下側部材の貫通ホール７に留められており、それによって、スライダがロックされる。続いて、スライダは、ジップファスナーから分離不可能となる(図９)。ロックタップ８によって、ジップファスナーに対してスライダをロックすることが可能となる(図３)。プラーとその分離ショルダー９とが、上側部材の傾斜分離体１０の上に逆方向に押圧されるように、分離ショルダー９は、外側へ向かって力が加えられる。ロックピン６は、同様の動作に追従するため、貫通ホール７から分離され、それによって、スライダが開放可能となる(図１０)。
【００１４】
図３には、スライダの外観と、ロックタップ８の機能を示す。プラー２が上側部材３へ向かって折り畳まれるとき、ロックタップ８が、上側部材３の間隙１１を介して押し付けられ、ジップファスナーの二つの歯の間にそれ自身が配置されるようになる。このため、スライダはロックされ、ジップファスナーに沿って移動することができなくなる。
【００１５】
図４には、上側部材３の上面図を示す。上側部材は、亜鉛、もしくはプラスチック、スチール、あるいは真鍮から製造可能である。ここに、傾斜分離体が図示されている。プラーの分離ショルダー９は、プラーが後方へ押されるように(図１０参照)、弾性部とロックピン６とを外側へ向かうように力を加える。要素１２は、プラーのためのヒンジを形成するために使用される。上側部材および下側部材が相互連結される際に、ロックピン６は、受け部１３に配置される。この要素１２は、パンチ加工されかつロックピン６の上へ屈曲される。その後、プラーの分解が不可能となり、かつスライダが組み立てられる(図９参照)。
【００１６】
図５には、上側部材３の底面図を示す。さらに、ヒンジタップ１４を示す。スライダの組み立てを容易にし、スライダの開放および閉鎖を可能にするヒンジを形成するために、次の機能が提供される。組立て時に、ヒンジタップ１４は、下側部材４のガイド溝に案内され、そして一定の力で、下側部材の組立面取り部に押圧され、それによって、ヒンジタップ１４は、わずかな弾性動作で外側へ向かうように力を加えられる。ヒンジタップが当該組立面取り部を通過したとき、弾性動作が元に戻る。ヒンジタップは、下側部材４のヒンジ面１７に位置させられ、それによって、同様に相互連結され、スライダを動作可能にするヒンジが構成される。このリンクの形成後、部材３，４の分離は不可能になる。図５には、ロックタップのための間隙１１(図３)と同様に、ジップファスナーの経路１８を示す。
【００１７】
図６には、下側部材４の上面図およびジップファスナーの経路１８を示す。下側部材は、亜鉛、もしくはプラスチック、スチール、あるいは真鍮から製造可能である。下側部材は、貫通ホール７を有している。プラーのロックピン６が、貫通ホール７に留められるとき、スライダは開放状態となることができない(図９)。さらに、ロックピン６のための支持面１９が図示されている。上記開放動作が行われた場合、ロックピン６は、以下に記述するように貫通ホール７におけるロックピン６の位置を離れるようになる。スライダ１が開放状態のとき(図１０)、ロックピン６が、そのスプリング力によって、支持面１９に対して固定される。下側部材４は、さらに、ジップファスナーを開放する分離ショルダー２０を備えている。スライダが、連結されたジップファスナーに当たって引っ張られるとき、ジップの歯が分離される。
【００１８】
図６によれば、下側部材は、さらに、組み立て(図８)を容易にするガイド溝１５と、組立面取り部１６と、ヒンジタップ１４のためのヒンジ面１７とを備えている。スライダの組み立て、ならびにスライダを開放および閉鎖可能にするヒンジの形成を容易にするために、以下の機能が提供される。組立て時に、上側部材のヒンジタップ１４は、ガイド溝１５に案内され、そして組立面取り部上を一定の力で押圧し、それによって、ヒンジタップ１４はわずかな弾性動作によって外側へ力を加えられる。ヒンジタップがこの組立面取り部１６を通過したとき、弾性動作が元に戻り、そして、ヒンジタップがヒンジ面１７に位置されるようになる。上側部材３と下側部材４との相互連結が完成されると同時に、上側部材と下側部材との間のヒンジが形成される。このリンクの形成後、部材３，４は分離不可能となる。
【００１９】
図７には、ヒンジタップ１４のためのヒンジ面１７を備えた下側部材４、およびさらにガイド溝１５の底面図を示す。
【００２０】
図８には、プラー２と上側部材３とが、どのように、上から直線的に下側部材４に容易に取り付けられるかを示す。
【００２１】
図９には、閉鎖状態のスライダ１を示す。ロックピン６が、下側部材の貫通ホール７および上側部材３の受け部１３にロックされる。続いて、要素２１がロックピン６、受け部１３の上に屈曲されると、プラー２を保持する受け部が完成される。ジップファスナーに取り付けられると、従来のスライダの動作と同じように動作する。
【００２２】
図１０には、どのようにスライダ１が開放されるかを示す。プラスチック２とその分離ショルダー９が後方へ移動させられ、かつ上側部材の分離体１０に対して押し付けられるとき、ロックピン６は、外側へ移動させられ、そして、下側部材４の貫通ホール７を離れるようになる。これは、プラー２に適用される後方への動作２２とともに、スライダを開放する２３。そのため、このスライダは、ジップファスナーへの取り付けまたはそれからの取り外しが可能である。
【００２３】
図１１には、それぞれの大きさの、さまざまな視点から見たスライダを示す。
【符号の説明】
【００２４】
１  スライダ
２  プラー
３  上側部材
４  下側部材
６  ロックピン
７  貫通ホール
８  ロックタップ
９  ショルダー
１０  下側部材
１１  間隙
１２  要素
１３  受け部
１４  ヒンジタップ
１５  ガイド溝
１６  開口
１７  ヒンジ面
１８  経路
２０  上側部材
２１  要素
２２  後方動作
【図１】
2010508062.tif 000003
【図２】
2010508062.tif 000004
【図３】
2010508062.tif 000005
【図４】
2010508062.tif 000006
【図５】
2010508062.tif 000007
【図６】
2010508062.tif 000008
【図７】
2010508062.tif 000009
【図８】
2010508062.tif 000010
【図９】
2010508062.tif 000011
【図１０】
2010508062.tif 000012
【図１１】
2010508062.tif 000013
【国際調査報告】
2010508062.tif 000014
2010508062.tif 000015
2010508062.tif 000016